(57)【要約】【課題】他施設と熱を共同利用したり一部設備を共用化したりすることができる発電システムを提供する。【解決手段】蒸気を生成するボイラ１と、該ボイラ１からの蒸気によって駆動される蒸気タービン２と、該蒸気タービン２から排気された蒸気を液化する復水器４と、前記蒸気タービンによって駆動される発電機３と、温水ライン７を介して復水器４から送られてくる温水を冷却し、冷水ライン６を介して冷水を該復水器４に返送する冷却塔５とを有する発電システムにおいて、該温水ライン７から温水を往送ライン９によって他施設１０の熱交換器に供給し、該熱交換器からの低温水を返送ライン１１によって該冷水ライン６に導く温水利用手段を備えたことを特徴とする発電システム。【選択図】図１
2020143880.tif 000002
【特許請求の範囲】
【請求項１】
蒸気を生成するボイラと、
該ボイラからの蒸気によって駆動される蒸気タービンと、
該蒸気タービンから排気された蒸気を液化する復水器と、
前記蒸気タービンによって駆動される発電機と、
前記復水器から温水ラインを介して送られてくる温水を冷却して冷水とし、該冷水を冷水ラインを介して該復水器に返送する冷却塔と
を有する発電システムにおいて、
該温水ラインから温水を往送ラインによって他施設の熱交換器に供給し、該熱交換器からの低温水を返送ラインによって該冷水ラインに導く温水利用手段を備えたことを特徴とする発電システム。
【請求項２】
前記往送ラインに、該往送ラインを流れる温水を加熱するための加熱器を備えたことを特徴とする請求項１の発電システム。
【請求項３】
前記ボイラ、復水器及び発電機が第１区画に配備され、前記冷却塔が第２区画に配備されており、
該第１区画で生じた排水と第２区画で生じた排水とを共通の排水処理設備で処理することを特徴とする請求項１又は２の発電システム。
【請求項４】
前記排水処理設備の少なくとも主要部は前記第２区画に設けられていることを特徴とする請求項３の発電システム。
【請求項５】
前記ボイラに供給される補給水を製造する水処理装置が前記第２区画に設置されていることを特徴とする請求項３又は４に記載の発電システム。
【請求項６】
前記第２区画の電気機器は商用電源によって作動することを特徴とする請求項３〜５のいずれかの発電システム。
【発明の詳細な説明】
【技術分野】
【０００１】
本発明は、ボイラ及び発電機を有する発電システムに関する。
【背景技術】
【０００２】
発電システムの余熱を利用して温水を周辺地域に供給したり、温水プールを運営したりすることが広く行われている。
【０００３】
また、木質系や農業系・汚泥系などのバイオマス由来のバイオマス燃料は、バイオマスの成育過程において二酸化炭素を取り込むことから、地球温暖化ガスとなる二酸化炭素を排出しないカーボンニュートラルとされるため、バイオマス燃料を用いたボイラで発電を行う発電プラントが検討されている。
【０００４】
特許文献１には、バイオマスボイラを備えた発電プラントにおいて、蒸気タービンから抽気した蒸気によってボイラ給水を加熱することが記載されている。
【０００５】
特許文献２には、木質バイオマス発電プラントの余熱により生成させた温水を利用して魚類の養殖を行うことが記載されている。
【先行技術文献】
【特許文献】
【０００６】
【特許文献１】特開２０１８−１６２７３９号公報
【特許文献２】特開２０１７−１９５７４２号公報
【発明の概要】
【発明が解決しようとする課題】
【０００７】
本発明は、他施設と熱を共同利用したり一部設備を共用化したりすることができる発電システムを提供することを目的とする。
【課題を解決するための手段】
【０００８】
本発明の発電システムは、蒸気を生成するボイラと、該ボイラからの蒸気によって駆動される蒸気タービンと、該蒸気タービンから排気された蒸気を液化する復水器と、前記蒸気タービンによって駆動される発電機と、前記復水器から温水ラインを介して送られてくる温水を冷却して冷水とし、該冷水を冷水ラインを介して該復水器に返送する冷却塔とを有する発電システムにおいて、該温水ラインから温水を往送ラインによって他施設の熱交換器に供給し、該熱交換器からの低温水を返送ラインによって該冷水ラインに導く温水利用手段を備える。
【０００９】
本発明の一態様では、前記往送ラインに、該往送ラインを流れる温水を加熱するための加熱器を備える。
【００１０】
本発明の一態様では、前記ボイラ、復水器及び発電機が第１区画に配備され、前記冷却塔が第２区画に配備されており、該第１区画で生じた排水と第２区画で生じた排水とを共通の排水処理設備で処理する。
【００１１】
本発明の一態様では、前記排水処理設備の少なくとも主要部は前記第２区画に設けられている。
【００１２】
本発明の一態様では、前記ボイラに供給される補給水を製造する水処理装置が前記第２区画に設置されている。
【００１３】
本発明の一態様では、前記第２区画の電気機器は商用電源によって作動する。
【発明の効果】
【００１４】
本発明の発電システムによると、他施設と熱を共同利用したり一部設備を共用化したりすることができる。
【００１５】
本発明の一態様によると、復水器から冷却塔へ送られる温水の一部を他施設の熱交換器に供給し、熱交換器で降温した低温水を復水器へ戻すことにより、冷却塔の負荷が小さくなり、冷却塔における水の蒸発量が削減されると共に、循環ポンプやファンの節電にもつながる。
【図面の簡単な説明】
【００１６】
【図１】本発明の発電システムの一例を示す説明図である。
【発明を実施するための形態】
【００１７】
図１を参照して実施の形態に係る発電システムについて説明する。木質チップなどのバイオマスを燃料とするボイラ１で発生した蒸気がタービン２に供給され、発電機３が駆動される。タービン２から排出された蒸気は、復水器４にて復水となり、ボイラ１に返送される。
【００１８】
復水器４へは、冷却塔５から冷水が冷水ライン６及び循環ポンプ（図示略）を介して供給されると共に、温水が温水ライン７を介して冷却塔５へ送水される。温水ライン７の途中から往送ライン９が分岐しており、往送ライン９を介して温水の少なくとも一部が他プラント等の他施設１０の熱交換器（図示略）に供給され、熱交換器で熱交換して降温した低温水が返送ライン１１を介して冷水ライン６に返送可能とされている。
【００１９】
他施設１０としては、半導体製造工場などの各種工場（プラント）のほか、プール等の公共施設や、空調設備、水処理設備などが挙げられるが、これに限定されない。
【００２０】
冷却塔５は、温水ライン７からの温水が充填材に散水され、ファン（図示略）の作動によって吸引される空気と接触して一部が蒸発し、蒸発潜熱によって降温して冷水となるように構成されている。
【００２１】
冷却塔５には、工業用水が工業用水ライン１２を介して補給されるよう構成されている。冷却塔５は、循環量、ブロー量、薬品処理、補給水量、水質、濃縮倍率、薬品添加などが制御される。
【００２２】
工業用水の一部は、前処理装置１４で前処理された後、純水装置１５で処理されることにより純水となり、純水タンク１６を介して復水器４へ補給されるよう構成されている。純水装置１５は、濾過装置、ＲＯ（逆浸透）装置や、さらには脱気装置、電気脱イオン装置を備えることが好ましいが、これに限定されない。
【００２３】
ボイラ１で生じたドレンは、ドレン配管１９を介して排水処理設備２０に送られて処理される。また、ボイラ排ガスを脱硫処理することにより生じた脱硫排水や、場内排水及び冷却塔５のブロー排水も排水処理設備２０で処理された後、放流される。
【００２４】
ボイラ１、タービン２、発電機３、復水器４及び純水タンク１６等よりなる発電設備は、第１区画に配置されている。冷却塔５、前処理装置１４、純水装置１５及び排水処理設備２０の少なくとも主要部等は第２区画に配置されている。排水処理設備の主要部とは、電力消費量の多い設備のことである。第１区画に設ける設備機器は、配管、タンクや、移送用ポンプなどの電力非使用又は低消費電力の機器とすることが好ましい。
【００２５】
この実施の形態では、第１区画と第２区画とは事業主体が別となっており、各々の制御システムも独自別個のものとなっている。また、第２区画の各装置は商用電源にて駆動される。
【００２６】
このように構成された発電システムにおいては、復水器４からの温水の少なくとも一部を温水ライン７から他施設１０の熱交換器に供給し、該熱交換器で降温した低温水を冷水ライン６を介して復水器４へ戻すようにしているので、冷却塔５の負荷が小さく、冷却塔５における水の蒸発量が減少する。また、そのため、冷却塔５の補給水量や、循環ポンプ及びファンの消費電力も減少する。
【００２７】
なお、温水ライン７から往送ライン９へ分岐させる温水量を制御するために、ライン７，９等にバルブ（流量調整弁もしくは切り替え弁）が設けられており、（復水器に影響しない温度範囲で）需要家での要求を満たすように調整することが好ましい。
【００２８】
他施設１０の熱交換器に供給する温水の温度を高めるために、往送ライン９に加熱器（図示略）を設置してもよい。この加熱器としては、化石燃料を使用しないＣＯ２フリー熱源や、ヒートポンプ、木質チップを用いた追い焚きボイラなどが好適であるが、これに限定されない。
【００２９】
なお、タービン２前で抽気した蒸気を用いて往送ライン９の温水を加熱してもよい。また、この抽気蒸気を他施設１０に直接に供給するようにしてもよい。
【００３０】
発電効率（復水器の真空度や復水器の冷水入口と温水出口の温度差が所定範囲に維持される）と需要家（他施設１０）での必要熱量を調整しながら熱回収の最適化を図ることができる。
【００３１】
この実施の形態では、第１区画と第２区画とで別個に制御ユニット又は管理システムを設け、第１区画における発電効率に応じて、第２区画の冷却塔や熱源供給ラインへの供給量や戻り量、温度差を制御することが好ましい。
【００３２】
この実施の形態では、消費電力の多い装置を第２区画に配置し、商用電源で駆動するようにしている。商用電源は、電力コストが再生エネルギー買取システムによる場合よりも安価であることが多い。
【００３３】
この実施の形態では、水処理設備を第２区画内に集約して設置したことにより、運転管理性、施工容易性を改善し、結果として一括管理による省スペース、省人化、省電力を実現することができる。例えば、第１区画と第２区画とで、管理主体やシステムを変えることで、それぞれの処理を効率良く行ったり、管理効率を良くすることができる。第２区画においては、制御の類似する範囲で水処理用供給契約や保守契約を結び、水処理用の遠隔監視システムや自動制御システムを設置する。その中で、発電用ボイラと連携を取りながら、特に、水処理部分に特化した制御を最適に行うことが可能となる。例えば、ボイラを正常運転するために必要な冷却塔や処理機器の運転条件に不備があることによる運転条件警報と、前記ボイラ本体が正常に動作していても定常的に発生する管理不備による日常管理警報とに区分する等の機能を設けることができる。
【００３４】
本発明では、制御の優先度は、発電、水処理加熱、往送ライン加熱（通常、蒸気等の加温設備を有するため）の順とすることが好ましい。
【００３５】
純水装置１５がＲＯ装置を備えている場合、ＲＯ給水の温度を２５℃以上とする必要がある。通常期の原水は１５℃程度、冬季は５℃程度になるので、加温を行う。夏季の加温は不要である。既に加温設備がある場合は、温水をベースに使用し、蒸気やヒータ等を変動の制御で使用空調設備においては、冬季以外はほとんど使用しないようにするのが好ましい。
【００３６】
本発明では、冷却循環水の温水側を予熱に使用し、他施設の空調設備で変動幅を追従するように運転することが好ましい。
【００３７】
本発明では、発電した電力をＦＩＴで売電してもよい。
【符号の説明】
【００３８】
１  ボイラ
２  タービン
４  復水器
５  冷却塔
１５  純水装置
２０  排水処理設備
【図１】
2020143880.tif 000003